(57)【要約】【課題】冷凍冷蔵庫用キャッチャの解放装置の提供。【解決手段】キャッチャが配設される側面パネルの内側にキャッチャと連結される解放装置を配設してユーザーが冷凍冷蔵庫に閉じ込められる場合に扉用施解錠装置とは別途にキャッチャの解放装置の内部ハンドルを回転させる動作だけでキャッチャが扉用施解錠装置から取り外されて扉が速やかに開かれるようにした冷凍冷蔵庫用キャッチャの解放装置。【選択図】図１
2015524525.tif 000002
【特許請求の範囲】
【請求項１】
冷凍冷蔵庫用扉の側面パネルにボルトで固定される底面フレーム（１１）を外部から取り外せないように筐体（１５）が係合され、前記筐体（１５）及び底面フレーム（１１）はヒンジ軸（Ｈ）で係合して筐体（１５）が背面に回転可能であり、前記筐体（１５）の前面にはストライカ（１９）がボルトで取着されて扉用施解錠装置（１）の係止金具（２）を固定するキャッチャ（１０）と、
前記底面フレーム（１１）の底面に固定フレーム（２１）がボルトで取着されてヒンジ軸（Ｈ）の下端部を支持し、前記固定フレーム（２１）と底面フレーム（１１）との間に施錠部材（２４）及び回転カム（２２）が配設されて回転カム（２２）の回転により施錠部材（２４）の一方の端が筐体（１５）の内側において出没動作をしながら底面フレーム（１１）に筐体（１５）を固定し、前記回転カム（２２）の底面には側面パネルの内側に固定された内部ハンドル（２５）の回転軸（２６）を係合し、前記内部ハンドル（２５）及び回転軸（２６）の回転により回転カム（２２）が回転しながら施錠部材（２４）を背面に移動させて底面フレーム（１１）に固定された筐体（１５）が回転軸（２６）を中心として取り外されながら扉用施解錠装置（１）の係止金具（２）から筐体（１５）のストライカ（１９）が解放されて冷凍冷蔵庫に閉じ込められているユーザーを外部に脱出可能にする解放手段（２０）と、
を備えることを特徴とする冷凍冷蔵庫用キャッチャの解放装置。
【請求項２】
前記底面フレーム（１１）の上部の両側面に固定孔（１１ａ）が形成されて側面パネルがボルトで固定され、前記底面フレーム（１１）の下端部に摺動溝（１２）が形成されて施錠部材（２４）が出没動作し、前記摺動溝（１２）の背面の両側にバネ載置溝（１２ａ）が形成されて施錠部材（２４）の背面をバネ（Ｓ）が弾力的に支持し、前記摺動溝（１２）の内側に嵌合溝（１２ｂ）が形成されて回転カム（２２）の上部が係合され、前記底面フレーム（１１）の背面の内側にはヒンジ軸（Ｈ）の上端部が支持されるようにヒンジ上部載置部（１３）が形成され、前記底面フレーム（１１）の前面には筐体（１５）の一方の端が密着されるように載置部（１４）が形成されることを特徴とする請求項１に記載の冷凍冷蔵庫用キャッチャの解放装置。
【請求項３】
前記筐体（１５）は、底面フレーム（１１）とヒンジ軸（Ｈ）で係合するように内側の背面に回転フレーム（１６）が突出され、前記筐体（１５）の前面には施錠フランジ（１７）が下側に突出されて固定フレーム（２１）の載置部（１４）に密着され、前記施錠フランジ（１７）の背面の内側に施錠溝（１７ａ）が形成されて施錠部材（２４）の一方の端が嵌め込まれ、前記筐体（１５）の前面の内側に収容部（１８）が形成されてストライカ（１９）が配設されるが、前記ストライカ（１９）は上下に位置を調節するように筐体（１５）の収容部（１８）の内側に第１の位置調節孔（１８ａ）及び複数のボルト孔（１８ｂ）が形成され、前記ストライカ（１９）の内側に第２の位置調節孔（１９ａ）及び複数のボルト孔（１９ｂ）が形成されて互いにボルトで固定され、前記ストライカ（１９）の前面にローラー（１９ｃ）が取着されることを特徴とする請求項１に記載の冷凍冷蔵庫用キャッチャの解放装置。
【請求項４】
前記固定フレーム（２１）は底面フレーム（１１）の摺動溝（１２）が密閉されるように複数のボルトで固定され、前記固定フレーム（２１）の背面にヒンジ軸（Ｈ）の下端部が支持されるようにヒンジ下部載置部（２１ａ）が形成され、前記固定フレーム（２１）の内側に回転カム（２２）の下端部が突出されるようにカム孔（２１ｂ）が形成されることを特徴とする請求項１に記載の冷凍冷蔵庫用キャッチャの解放装置。
【請求項５】
前記回転カム（２２）は上部に半円形の回転突起（２３）が突出されて固定フレーム（２１）の上端部に密着され、前記回転突起（２３）の上部に嵌合突起（２３ａ）が突出されて底面フレーム（１１）の嵌合溝（１２ｂ）に係合されて回転し、前記回転カム（２２）の回転突起（２３）が内部に嵌め込まれるように施錠部材（２４）の内側に押付誘導溝（２４ａ）を形成し、前記施錠部材（２４）の前面に施錠突起（２４ｂ）が突出されて底面フレーム（１１）の摺動溝（１２）の前面に突出されて筐体（１５）の施錠溝（１７ａ）に嵌め込まれることを特徴とする請求項１に記載の冷凍冷蔵庫用キャッチャの解放装置。
【請求項６】
前記内部ハンドル（２５）の回転軸（２６）及び回転カム（２２）の内部は、矩形状を呈することを特徴とする請求項１に記載の冷凍冷蔵庫用キャッチャの解放装置。
【請求項７】
前記筐体（１５）の内部に押付柱（３１）を形成し、前記押付柱（３１）の下端部は底面フレーム（１１）の上端部と密着されるように突出され、前記押付柱（３１）と底面フレーム（１１）との間に弾性部材（３０）がさらに配設されることを特徴とする請求項１に記載の冷凍冷蔵庫用キャッチャの解放装置。
【請求項８】
前記弾性部材（３０）は押付柱（３１）の底面に押付突起（３２）を形成し、前記押付突起（３２）と対応する底面フレーム（１１）の上端部に弾性ゴム（３３）を取着して、施錠部材（２４）が筐体（１５）から取り外されると、弾性ゴム（３３）の弾性力により筐体（１５）がヒンジ軸（Ｈ）を中心として弾力的に回転できるようにしたことを特徴とする請求項７に記載の冷凍冷蔵庫用キャッチャの解放装置。
【請求項９】
前記筐体（１５）の押付柱（３１）の内側にバネ溝（３５）を形成し、前記バネ溝（３５）に弾性バネ（３６）が一方の端が密着され、他方の端は底面フレーム（１１）と弾力的に密着されるように第２の弾性部材（３４）をさらに備えることを特徴とする請求項７に記載の冷凍冷蔵庫用キャッチャの解放装置。
【発明の詳細な説明】
【技術分野】
【０００１】
本発明は、冷凍冷蔵庫用キャッチャの解放装置に係り、さらに詳しくは、キャッチャが配設される側面パネルの内側にキャッチャと連結される解放装置を配設してユーザーが冷凍冷蔵庫に閉じ込められる場合に扉用施解錠装置とは別途にキャッチャの解放装置の内部ハンドルを回転させる動作だけでキャッチャが扉用施解錠装置から取り外されて扉が速やかに開かれるようにした冷凍冷蔵庫用キャッチャの解放装置に関する。
【背景技術】
【０００２】
一般に、冷凍冷蔵庫は、冷蔵及び冷凍が求められる物品などを一時的にまたは長期的に安全に保管して腐敗を防ぐために用いられており、扉パネルにはケースの内部にハンドル及び係止金具が配設された扉用施解錠装置が固定され、反対側の側面パネルにはキャッチャが取着されてキャッチャの前面に配設されるストライカに係止金具が固定されて扉が施錠状態を維持する。
【０００３】
従来の扉用施解錠装置のハンドルは、扉パネルにケースを取り付け、このケースにピン軸で連結されるハンドルに作動レバーが取着されて前記作動レバーの一方の端がラッチと連結され、前記ラッチは弾性バネにより支持されて往復動可能であり、前記ケースの両側には扉パネルにボルトやリベットで固定するための固定孔がフレームに形成されており、ケースの底面には底板が複数のボルトで組み付けられるような構造を有する。
【０００４】
例えば、下記の特許文献１に記載の従来の冷凍冷蔵庫の扉用施解錠装置について述べると、同装置は、冷凍及び冷蔵チャンバに配設されたストライカに対応するロックがハンドルの調整により調整される扉用施解錠装置において、所定の領域の収容空間に内蔵され、前記ストライカを配設する支持板を隠蔽する折曲部により収容部からなるキャッチャと、前記ストライカに対応して冷凍及び冷蔵チャンバの内外側において所定の範囲を旋回するフィンガの運動量を調節する外部ハンドルトが外部ハンドルと向かい合う個所において内側ハンドルと連結されたトリガの回転動作により作動プレートの直線往復動を誘導する開閉手段と、前記外部ハンドルが施錠された状態に影響を受けることなく冷凍及び冷蔵チャンバの内側に配置され、トリガを連結する回転軸が嵌め込まれた内部ハンドルと、前記トリガに対応する前記作動プレートを底板に密着させて配置した解放手段と、前記開閉手段を収容するロックボックスに前記外部ハンドルを固定する施錠手段と、を備えることを特徴としているが、従来の冷凍冷蔵庫の扉用施解錠装置は、冷凍冷蔵庫にユーザーが閉じ込められる場合に作業者が内部ハンドルを回転させると、回転軸及びトリガの回転運動により作動プレート及びラッチが直線往復動をしながらラッチと連結されたフィンガがストライカから離脱して扉を開く解放手段の結合構造が複雑であり、取付け及び取り外し作業を行うことが困難であるため生産性が低下するという欠点がある。
【０００５】
従来のキャッチャは、側面パネルに強固に固定された状態を維持しているため、内部ハンドル及び回転軸の回転作業が行われないため扉を全く開くことができないという問題点がある。
【０００６】
従来の解放手段は、内部ハンドル及び回転軸の作動により、トリガと、作動プレートと、ラッチ及びフィンガの有機的な係合により連増して作動される構成が複雑であり、従来の扉用施解錠装置と連結される解放手段のコストが高いため解放手段を取り外して用いる場合があるが、このように解放手段の内部ハンドルの配設を省略する場合、冷凍冷蔵庫にユーザーが閉じ込められてしまうという問題があり、しかも、従来の扉用施解錠装置及びキャッチャは、全体的な組立て難さ及びメンテナンスのし難さにより製品のコスト及びメンテナンスコストが高騰するという問題がある。
【０００７】
従来の扉用施解錠装置及びキャッチャの最大の問題は、他人が外部ハンドルが施錠されていることを知らずに強制的に外部ハンドルを引っ張る過程で外部ハンドルのヒンジ軸が破損されるとともにラッチの作動も行い難くなるため、内部ハンドルを回転させることができなければ、冷凍冷蔵庫にユーザーが閉じ込められる場合に外部に脱出することができなくなるということである。
【０００８】
例えば、下記の特許文献２に記載の冷凍冷蔵庫の扉用キャッチャは、扉用施解錠装置１の一方の端部が収容されるように嵌入溝１２が形成され、嵌入溝１２の内部には側面に第１の係合孔１４ａが形成されたストライカ配設部１４が一体に突設され、底面１６に第２の係合孔１６ａが形成される胴体１０と、前記ストライカ配設部１４の第１の係合孔１４ａにボルトＢで係合されるように第３の係合孔２２が形成され、先端部に扉用施解錠装置１と係脱される係止爪２４が形成されるストライカ２０と、を備えることを特徴としているが、従来のほとんどのキャッチャは、側面パネルに固定された状態を維持しているだけであり、別途の解錠装置が存在しないため使用の幅が広くないという欠点があり、しかも、外部ハンドルの作動によりラッチが直線運動しながらフィンガを回転させる構造や、外部ハンドルの作動によりラッチの係止金具が直線運動しながらストライカから離脱される様々な従来の扉用施解錠装置に制限なしに適用することができないという欠点があるため、扉用施解錠装置の構造に応じて従来のキャッチャの構造及び係合方式を異ならせて製作せねばならないという煩雑さがある。
【先行技術文献】
【特許文献】
【０００９】
【特許文献１】大韓民国登録特許第１０−０３２１８７３号
【特許文献２】大韓民国実用新案公開第２０−２０１０−００１２５６７号
【発明の概要】
【発明が解決しようとする課題】
【００１０】
本発明は上述した従来の問題を解消するために案出されたものであり、その目的は、冷凍冷蔵庫用扉の側面パネルにボルトで固定される底面フレームを外部から強制的に取り外せないように筐体を係合して外観の見栄えを高め、前記底面フレーム及び筐体をヒンジ軸で係合しながら底面フレームと連結されるように側面パネルの内側に解放装置を配設して、冷凍冷蔵庫にユーザーが閉じ込められる場合に、扉用施解錠装置とは別途に解放装置を作動させると、筐体がヒンジ軸を中心として背面に回転しながら扉用施解錠装置の係止金具からキャッチャが取り外されて扉を速やかに開くようにした冷凍冷蔵庫用キャッチャの解放装置を提供することである。
【００１１】
本発明の他の目的は、キャッチャの全体的な構造を改善して種々の扉用施解錠装置に適用可能であることから使用範囲を拡大することができ、冷凍冷蔵庫にユーザーが閉じ込められる場合に扉用施解錠装置に連結された解放手段の配設作業を省略した従来の扉用施解錠装置に本発明のキャッチャを適用して冷凍冷蔵庫にユーザーが閉じ込められるという問題を速やかに解消することのできる冷凍冷蔵庫用キャッチャの解放装置を提供することである。
【００１２】
本発明のさらに他の目的は、扉用施解錠装置に別途の解放手段を取着するための複雑な組立て構成と有機的な係合関係を省略することができることから、製品のコスト及びメンテナンスコストを節減することのできる冷凍冷蔵庫用キャッチャの解放装置を提供することである。
【００１３】
本発明のさらに他の目的は、側面パネルの内側に取着される内部ハンドル及び回転軸の回転につれて底面フレームと固定フレームとの間に配設された回転カムが回転しながら施錠部材を背面に移動させて底面フレームに固定された筐体がヒンジ軸を中心として背面に回転しながら扉を開くことができ、特に、筐体の内部及び底面フレームの上部に弾性部材をさらに形成して扉を開くときに筐体がヒンジ軸を中心として速やかに回転されるようにした冷凍冷蔵庫用キャッチャの解放装置を提供することである。
【課題を解決するための手段】
【００１４】
上記の本発明の目的を達成するために、本発明に係る冷凍冷蔵庫用キャッチャの解放装置は、冷凍冷蔵庫用扉の側面パネルにボルトで固定される底面フレームを外部から取り外せないように筐体が係合され、前記筐体及び底面フレームはヒンジ軸で係合して筐体が背面に回転可能であり、前記筐体の前面にはストライカがボルトで取着されて扉用施解錠装置の係止金具を固定するキャッチャと、前記底面フレームの底面に固定フレームがボルトで取着されてヒンジ軸の下端部を支持し、前記固定フレームと底面フレームとの間に施錠部材及び回転カムが配設されて回転カムの回転により施錠部材の一方の端が筐体の内側において出没動作をしながら底面フレームに筐体を固定し、前記回転カムの底面には側面パネルの内側に固定された内部ハンドルの回転軸を係合し、前記内部ハンドル及び回転軸の回転により回転カムが回転しながら施錠部材を背面に移動させて底面フレームに固定された筐体が回転軸を中心として取り外されながら扉用施解錠装置の係止金具から筐体のストライカが解放されて冷凍冷蔵庫に閉じ込められているユーザーを外部に脱出可能にする解放手段と、を備えることを特徴とする。
【００１５】
本発明に係る冷凍冷蔵庫用キャッチャの解放装置は、底面フレーム及び筐体の内部に弾性部材をさらに形成して、筐体がヒンジ軸を中心として回転するときに弾性部材の弾性力により背面に速やかに開かれるようにしたことを特徴とする。
【発明の効果】
【００１６】
本発明によれば、冷凍冷蔵庫にユーザーが閉じ込められる場合に扉用施解錠装置に連結された解放手段を用いることなくキャッチャの解放装置を作動させて速やかに扉を開くことができるという効果がある。
【００１７】
本発明によれば、キャッチャの構造を改善して冷凍冷蔵庫の扉用施解錠装置に別途の解放手段が取着される構造や、解放手段の配設作業を省略した従来の扉用施解錠装置に制限なしに適用可能であることから、製品のコストを節減することができ、しかも、キャッチャの使用範囲を拡大して生産性を向上させることができるという効果がある。
【００１８】
本発明によれば、冷凍冷蔵庫の側面パネルにボルトで固定される底面フレームを外部から強制的に取り外せないように筐体を係合して外観の見栄えを高めることができ、底面フレーム及び筐体がヒンジ軸で係合される構造が外部から視認されないためヒンジ軸を強制的に取り外すことができず、特に、底面フレームと連結されるように側面パネルの内側に形成される解放装置の内部ハンドル及び回転軸を回転させると、底面フレームと固定フレームとの間に配設された回転カムが回転しながら施錠部材を背面に移動させて底面フレームに固定された筐体がヒンジ軸を中心として背面に回転しながら扉用施解錠装置の係止金具からストライカが取り外されて扉が速やかに開かれるという効果がある。
【００１９】
本発明によれば、筐体がヒンジ軸を中心として回転するときに底面フレームに固定された筐体が速やかに回転されるように筐体の内部及び底面フレームの上部に弾性部材をさらに配設して弾性部材の弾性力により筐体が速やかに回転することができるという効果がある。
【図面の簡単な説明】
【００２０】
【図１】本発明に係るキャッチャの係合状態の斜視図である。
【図２】本発明に係るキャッチャの分解状態の斜視図である。
【図３】本発明に係るキャッチャの底面状態を示す斜視図である。
【図４】本発明に係るキャッチャの係合状態の断面図である。
【図５】本発明に係るキャッチャの作動状態の断面図である。
【図６】本発明に係る第２の弾性部材の係合状態の正面図である。
【発明を実施するための形態】
【００２１】
以下、添付図面に基づき、本発明の好適な実施形態について詳細に説明する。
【００２２】
図１から図６を参照すると、本発明に係る冷凍冷蔵庫用キャッチャの解放装置は、冷凍冷蔵庫の側面パネルに固定される底面フレーム１１の上部に筐体１５がヒンジ軸Ｈで係合され、前記筐体１５の前面にストライカ１９がボルトで固定されるキャッチャ１０と、前記底面フレーム１１と連結されるように側面パネルの内側に内部ハンドル２５及び回転軸２６からなる解放手段２０を配設するが、前記解放手段２０は底面フレーム１１と固定フレーム２１との間に回転軸２６につれ回転する回転カム２２が配設され、前記回転カム２２の回転により施錠部材２４が出没動作をしながら筐体１５がヒンジ軸Ｈを中心として背面に移動して筐体１５のストライカ１９が扉用施解錠装置１０の係止金具２から取り外されて扉が開かれるように構成される。
【００２３】
前記冷凍冷蔵庫の扉パネルに固定される扉用施解錠装置１に対応するように配設されるキャッチャ１０は、冷蔵庫及び冷蔵庫の側面パネルに底面フレーム１１の底面が密着されて底面フレーム１１の上部の両側面に形成された固定孔１１ａにボルトが係合されて固定され、前記底面フレーム１１の下端部には摺動溝１２が形成されて後述する施錠部材２４が嵌め込まれて前面及び背面に出没動作し、前記施錠部材２４の出没動作に際して元の位置に戻るように摺動溝１２の背面の両側にはバネＳが組み込まれるようにバネ載置溝１２ａが形成されて後述する施錠部材２４の背面を弾力的に支持する。
【００２４】
前記摺動溝１２の内側には嵌合溝１２ｂが形成されて後述する回転カム２２の嵌合突起２３ａが嵌め込まれて回転し、前記底面フレーム１１の背面の内側にはヒンジ軸Ｈの上端部が支持されるように半円形を呈するヒンジ上部載置部１３が両側面に一体に形成されるが、前記ヒンジ上部載置部１３は途中部が貫通されるように折り曲げられて後述する回転フレーム１６が嵌め込まれてヒンジ軸Ｈで係合し、前記底面フレーム１１の前面には内側に溝が凹設された載置部１４が形成されて後述する筐体１５の施錠フランジ１７が密着され、前記底面フレーム１１の上部には筐体１５を係合するが、前記筐体１５は底面フレーム１１の上部に露出されたボルトが外部から視認されないように係合し、特に、外部から底面フレーム１１を強制的に取り外せないように底面フレーム１１の内部を取り囲むように筐体１５が配設されて底面フレーム１１及び筐体１５はヒンジ軸Ｈにより嵌合する。
【００２５】
前記筐体１５の内側の背面には回転フレーム１６が下端部に突出されて底面フレーム１１のヒンジ上部載置部１３の途中部に嵌め込まれてヒンジ軸Ｈで互いに固定され、前記ヒンジ軸Ｈは、後述する固定フレーム２１の係合により外部に露出されることが遮断され、前記筐体１５の前面には施錠フランジ１７が下端部に突出されて底面フレーム１１の載置部１４に密着され、前記施錠フランジ１７の背面の内側には施錠溝１７ａが形成されて後述する施錠部材２４の一方の端が嵌め込まれて底面フレーム１１に筐体１５が固定された状態を維持し、前記筐体１５の前面の内側には収容部１８が形成されて内側にストライカ１９がボルトで取着される。
【００２６】
ここで、前記筐体１５の収容部１８に取着されるストライカ１９が上下に昇降作動しながら位置を調節するように収容部１８の内側には第１の位置調節孔１８ａ及び複数のボルト孔１８ｂが形成され、これに対応するストライカ１９の内側には第２の位置調節孔１９ａ及び複数のボルト孔１９ｂが形成されてストライカ１９の高さを調節した後にボルトで固定され、前記ストライカ１９の前面の上部にはローラー１９ｃが軸で係合して扉パネルに固定された扉用施解錠装置１の係止金具２がローラー１９ｃの内側に固定されて扉の施錠状態を維持する。
【００２７】
前記筐体１５のストライカ１９が扉用施解錠装置１の係止金具２から取り外されるように冷凍冷蔵庫の側面パネルの内側に配設される解放手段２０は、前記底面フレーム１１の摺動溝１２が密閉されるように複数のボルトで固定フレーム２１が取着され、前記固定フレーム２１の背面にはヒンジ軸Ｈの下端部が支持されるようにヒンジ下部載置部２１ａが形成されてヒンジ軸Ｈを強固に支持しながらヒンジ軸Ｈが外部に露出されることを防ぎ、前記固定フレーム２１の内側にカム孔２１ｂが形成されて回転カム２２の下端部が貫通され、前記回転カム２２の上端部には半円形を呈する回転突起２３が突出されて固定フレーム２１の上部と密着された状態を維持し、前記回転突起２３の上部の中央に形成された嵌合突起２３ａは底面フレーム１１の嵌合溝１２ｂに係合して回転カム２２を回転可能にし、前記回転突起２３の周面には施錠部材２４の内側に形成された押付誘導溝２４ａが配設されており、前記施錠部材２４は摺動溝１２に載置された状態で半円形を呈する回転突起２３に押付誘導溝２４ａが密着されて施錠部材２４の固定状態を維持し、このとき、回転突起２３が回転すると、回転突起２３の先端部が押付誘導溝２４ａの背面を押し付ける動作により施錠部材２４を直線往復動させ、前記施錠部材２４の前面には施錠突起２４ｂが突出されて施錠フランジ１７の施錠溝１７ａに嵌め込まれて底面フレーム１１及び筐体１５が強固に固定された状態を維持する。
【００２８】
一方、前記キャッチャ１０が固定される側面パネルの内側には内部ハンドル２５及び回転軸２６が配設されて回転軸２６の先端が回転カム２２の内部に嵌合して冷凍冷蔵庫の内部にユーザーが閉じ込められる場合に内部ハンドル２５を回転させると、回転軸２６及び回転カム２２が回転しながら回転突起２３が押付誘導溝２４ａを背面に移動させて施錠部材２４の施錠突起２４ｂが施錠溝１７ａから引き抜かれながら筐体１５がヒンジ軸Ｈを中心として回転することが可能になり、このとき、筐体１５に取着されたストライカ１９のローラー１９ｃが扉用施解錠装置１の係止金具２から取り外されて扉が開かれる。
【００２９】
前記筐体１５がヒンジ軸Ｈを中心として底面フレーム１１の背面に回転する条件下で筐体１５が速やかに回転するように前記筐体１５の内部に押付柱３１を突出させ、前記押付柱３１の底面には押付突起３２を突設し、前記押付突起３２が配設される底面フレーム１１の上端部に弾性ゴム３３製の弾性部材３０をさらに配設して施錠部材２４の施錠突起２４ｂが施錠溝１７ａから引き抜かれるとともに、弾性ゴム３３を押し込んでいた押付突起３２が弾性力によりはじかれながら筐体１５が一層速やかに回転して扉を開く。
【００３０】
さらに、前記弾性部材３０の弾性力を一層強化させるために押付柱３１の両側の内側にバネ溝３５を形成し、前記バネ溝３５には弾性バネ３６製の第２の弾性部材３４を選択的に適用して弾性バネ３６の弾性力により筐体１５が一層速やかに回転して扉を開くようにする。
【００３１】
上記の構成を有する本発明に係る冷凍冷蔵庫用キャッチャの解放装置は、下記のようにして作動される。
【００３２】
冷凍冷蔵庫は、冷蔵及び冷凍が求められる物品などを一時的にまたは長期的に安全に保管して腐敗を防ぐために用いられるが、一般に、作業者が扉を開くためには、扉用施解錠装置１に形成されたハンドル（図示せず）を引っ張ると、ハンドルとともにラッチの係止金具２が背面に移動しながらキャッチャ１０のストライカ１９から係止金具２が取り外されて扉が開かれるが、本発明のキャッチャ１０に適用される扉用施解錠装置１０は、冷凍冷蔵庫にユーザーが閉じ込められる場合にこれを解放するための別途の解放手段が配設されている扉用施解錠装置や、別途の解放装置が配設されていない従来の通常の扉用施解錠装置１に適用可能であるという特徴があり、冷凍冷蔵庫にユーザーが閉じ込められる場合に作業者は側面パネルに配設された内部ハンドル２５を回転させる動作だけで回転軸２６及び回転カム２２が一緒に回転され、前記回転カム２２の回転突起２３が回転しながら押付誘導溝２４ａが同時に背面に移動され、このとき、施錠部材２４の施錠突起２４ｂが筐体１５の施錠溝１７ａから引き抜かれながら筐体１５がヒンジ軸Ｈを中心として背面に回転してストライカ１９のローラー１９ｃが施錠装置１の係止金具２から取り外されて扉を速やかに且つ手軽に開くことができるという特徴がある。
【００３３】
一方、筐体１５がヒンジ軸Ｈを中心として回転する過程で弾性部材３０の弾性力により筐体１５が一層速やかに回転することができ、作業条件や作業現場に応じて第２の弾性部材３４を付設して一層速やかに扉を開くことができる。
【００３４】
前記筐体１５は、底面フレーム１１から取り外されて扉の開扉作業が完了すると、内部ハンドル２５は、施錠部材２４の背面に弾力的に支持しているバネＳの弾性力により元の位置に戻って施錠部材２４の施錠突起２４ｂが前面に突出された状態を維持し、再び扉を施錠状態に維持するためには内部ハンドル２５を回転させて施錠部材２４の施錠突起２４ｂが背面に移動した状態を維持した後、筐体１５を元の位置に回転させておき、内部ハンドル２５から手を離すと、施錠部材２４はバネＳの弾性力により前面に移動しながら施錠突起２４ｂが施錠フランジ１７の施錠溝１７ａに嵌め込まれて扉が施錠状態を維持する。
【００３５】
上述した本発明に係る冷凍冷蔵庫用キャッチャの解放装置は、上述した実施形態に何ら限定されるものではなく、以下の特許請求の範囲において請求する本発明の要旨から逸脱することなく本発明が属する技術分野において通常の知識を有する者であれば誰でも種々に変更して実施できる範囲までその技術的精神がある。
【符号の説明】
【００３６】
１：扉用施解錠装置
２：係止金具
１０：キャッチャ
１１：底面フレーム
１１ａ：固定孔
１２：摺動溝
１２ａ：バネ載置溝
１２ｂ：嵌合溝
１３：ヒンジ上部載置部
１４：載置部
１５：筐体
１６：回転フレーム
１７：施錠フランジ
１７ａ：施錠溝
１８：収容部
１８ａ：第１の位置調節孔
１８ｂ：ボルト孔
１９：ストライカ
１９ａ：第２の位置調節孔
１９ｂ：ボルト孔
１９ｃ：ローラー
２０：解放手段
２１：固定フレーム
２１ａ：ヒンジ下部載置部
２１ｂ：カム孔
２２：回転カム
２３：回転突起
２３ａ：嵌合突起
２４：施錠部材
２４ａ：押付誘導溝
２４ｂ：施錠突起
２５：内部ハンドル
２６：回転軸
３０：弾性部材
３１：押付柱
３２：押付突起
３３：弾性ゴム
３４：第２の弾性部材
３５：バネ溝
３６：弾性バネ
Ｈ：ヒンジ軸
Ｓ：バネ
【図１】
2015524525.tif 000003
【図２】
2015524525.tif 000004
【図３】
2015524525.tif 000005
【図５】
2015524525.tif 000006
【図６】
2015524525.tif 000007
【図４】
2015524525.tif 000008
【国際調査報告】
2015524525.tif 000009
2015524525.tif 000010
2015524525.tif 000011
2015524525.tif 000012